(57)【要約】【課題】センサを設けたモニタリングシステムにおいて、誤操作の影響を軽減することを目的とする。【解決手段】照明機器は、主電源を用いて点灯する。リモートコントロール装置は、照明機器を消灯させる。バッテリーは、予備電源を供給する。センサーは、主電源を用いて所定の測定を行う。検出部は、所定のスイッチの操作により前記主電源の供給が停止したか否かを検出して検出結果を生成する。通信部は、主電源の供給が停止した場合には予備電源を用いて前記検出結果を送信する。【選択図】図５
2018018577.tif 000002
【特許請求の範囲】
【請求項１】
主電源を用いて点灯する照明機器と、
前記照明機器を消灯させるリモートコントロール装置と、
予備電源を供給するバッテリーと、
前記主電源を用いて所定の測定を行うセンサーと、
所定のスイッチの操作により前記主電源の供給が停止したか否かを検出して検出結果を生成する検出部と、
前記主電源の供給が停止した場合には前記予備電源を用いて前記検出結果を送信する通信部と
を具備するモニタリングシステム。
【請求項２】
前記主電源および前記予備電源のいずれかを前記検出結果に基づいて選択して前記通信部に供給する選択部をさらに具備する
請求項１記載のモニタリングシステム。
【請求項３】
前記主電源から前記予備電源に切り替えられるまでの間において補助電源を前記選択部に供給する補助バッテリーをさらに具備する
請求項２記載のモニタリングシステム。
【請求項４】
前記バッテリーは、前記主電源の供給が停止していない場合には前記主電源により充電するとともに充電した電力を前記通信部に供給し、前記主電源の供給が停止した場合には前記充電した電力を前記予備電源として前記通信部に供給する
請求項１記載のモニタリングシステム。
【請求項５】
前記主電源の供給が停止した場合には前記センサーの消費電力を低下させる制御部をさらに具備する
請求項１記載のモニタリングシステム。
【請求項６】
前記センサは、消費電力の異なる２つのセンサーを含み、
前記制御部は、前記主電源の供給が停止していない場合には前記２つのセンサーのうち消費電力の高い方を駆動させ、前記主電源の供給が停止した場合には前記２つのセンサーのうち消費電力の低い方を駆動させる
請求項５記載のモニタリングシステム。
【請求項７】
前記通信部は、前記主電源の供給が停止した場合には前記主電源の供給が開始されてから現在時刻までの経過時間が所定時間より長いか否かを判断し、前記経過時間が前記所定時間より長いときに前記検出結果を送信する
請求項１記載のモニタリングシステム。
【請求項８】
前記送信された検出結果を受信して表示する情報端末をさらに具備する
請求項１記載のモニタリングシステム。
【請求項９】
予備電源を供給するバッテリーと、
照明機器に供給される主電源を用いて所定の測定を行うセンサーと、
所定のスイッチの操作により前記主電源の供給が停止したか否かを検出して検出結果を生成する検出部と、
前記主電源の供給が停止した場合には前記予備電源を用いて前記検出結果を送信する通信部と
を具備する電子機器。
【請求項１０】
主電源を用いて照明機器が点灯する点灯手順と、
前記主電源を用いてセンサが所定の測定を行う測定手順と、
所定のスイッチの操作により前記主電源の供給が停止したか否かを検出して検出結果を生成する検出手順と、
前記主電源の供給が停止した場合にはバッテリにより供給される予備電源を用いて前記検出結果を送信する通信手順と
を具備するモニタリングシステム。
【発明の詳細な説明】
【技術分野】
【０００１】
本技術は、モニタリングシステム、電子機器、および、モニタリングシステムの制御方法に関する。詳しくは、照明機器に取り付けたセンサーからの信号を収集するモニタリングシステム、電子機器、および、モニタリングシステムの制御方法に関する。
【背景技術】
【０００２】
従来より、病院や介護施設などにおいて、室内の状況をモニタするために、音響センサーや赤外線センサーなどのセンサーを部屋ごとに配置し、それらのセンサーからの信号を情報処理装置が収集するモニタリングシステムが用いられている。防犯システムと異なり、病院等で用いられるモニタリングシステムにおいては、入居者にストレスや不安感を与えないようにセンサーの設置場所に配慮する必要がある。そこで、例えば、センサー内蔵の電子機器を取り付けた照明機器が提案されている（例えば、特許文献１参照。）。このようにセンサーを照明機器に搭載すれば、入居者はセンサーの存在に気づきにくく、入居者のストレス等を軽減することができる。
【先行技術文献】
【特許文献】
【０００３】
【特許文献１】特開２０１４−２０９４１１号公報
【発明の概要】
【発明が解決しようとする課題】
【０００４】
上述の従来技術においては、照明機器の電源経路を開閉する壁スイッチをユーザがオフにすると、照明機器への電源供給が停止し、その機器に搭載されているセンサーも停止する。このため、センサーを動作させたままで照明機器を消灯するには、壁スイッチをオンにした状態で、照明機器付属のリモートコントロール装置の消灯ボタンをユーザが押下するという手順が必要になる。しかしながら、ユーザが消灯時に誤って壁スイッチをオフにして、意図せずにセンサーを停止させてしまうことがある。この誤操作にユーザが気づかず、長時間に亘ってセンサーが停止すると、モニタリングシステムの運用に支障をきたす。このように上述のモニタリングシステムでは、ユーザの誤操作の影響が大きいという問題がある。
【０００５】
本技術はこのような状況に鑑みて生み出されたものであり、センサーを設けたモニタリングシステムにおいて、誤操作の影響を軽減することを目的とする。
【課題を解決するための手段】
【０００６】
本技術は、上述の問題点を解消するためになされたものであり、その第１の側面は、主電源を用いて点灯する照明機器と、前記照明機器を消灯させるリモートコントロール装置と、予備電源を供給するバッテリーと、前記主電源を用いて所定の測定を行うセンサーと、所定のスイッチの操作により前記主電源の供給が停止したか否かを検出して検出結果を生成する検出部と、前記主電源の供給が停止した場合には前記予備電源を用いて前記検出結果を送信する通信部とを具備するモニタリングシステム、および、その制御方法である。これにより、リモートコントロール装置により消灯すべき照明機器への主電源の供給が、スイッチ操作により停止した場合に検出結果が送信されるという作用をもたらす。
【０００７】
また、この第１の側面において、前記主電源および前記予備電源のいずれかを前記検出結果に基づいて選択して前記通信部に供給する選択部をさらに具備してもよい。これにより、主電源および予備電源のいずれかが選択されるという作用をもたらす。
【０００８】
また、この第１の側面において、前記主電源から前記予備電源に切り替えられるまでの間において補助電源を前記選択部に供給する補助バッテリーをさらに具備してもよい。これにより、主電源から予備電源に切り替えられるまでの間において補助電源が供給されるという作用をもたらす。
【０００９】
また、この第１の側面において、前記バッテリーは、前記主電源の供給が停止していない場合には前記主電源により充電するとともに充電した電力を前記通信部に供給し、前記主電源の供給が停止した場合には前記充電した電力を前記予備電源として前記通信部に供給してもよい。これにより、主電源が停止指定しない場合にもバッテリーの充電電力が通信部に供給されるという作用をもたらす。
【００１０】
また、この第１の側面において、前記主電源の供給が停止した場合には前記センサーの消費電力を低下させる制御部をさらに具備してもよい。これにより、主電源の供給が停止するとセンサーの消費電力が低下するという作用をもたらす。
【００１１】
また、この第１の側面において、前記センサーは、消費電力の異なる２つのセンサーを含み、前記制御部は、前記主電源の供給が停止していない場合には前記２つのセンサーのうち消費電力の高い方を駆動させ、前記主電源の供給が停止した場合には前記２つのセンサーのうち消費電力の低い方を駆動させてもよい。これにより、主電源の供給が停止した場合に２つのセンサーのうち消費電力の低い方が駆動するという作用をもたらす。
【００１２】
また、この第１の側面において、前記通信部は、前記主電源の供給が停止した場合には前記主電源の供給が開始されてから現在時刻までの経過時間が所定時間より長いか否かを判断し、前記経過時間が前記所定時間より長いときに前記検出結果を送信してもよい。これにより、現在時刻までの経過時間が所定時間より長いときに検出結果が送信されるという作用をもたらす。
【００１３】
また、この第１の側面において、前記送信された検出結果を受信して表示する情報端末をさらに具備してもよい。これにより、検出結果が表示されるという作用をもたらす。
【００１４】
また、本技術の第２の側面は、予備電源を供給するバッテリーと、照明機器に供給される主電源を用いて所定の測定を行うセンサーと、所定のスイッチの操作により前記主電源の供給が停止したか否かを検出して検出結果を生成する検出部と、前記主電源の供給が停止した場合には前記予備電源を用いて前記検出結果を送信する通信部とを具備する電子機器である。これにより、主電源の供給が停止した場合に検出結果が送信されるという作用をもたらす。
【発明の効果】
【００１５】
本技術によれば、センサーを設けたモニタリングシステムにおいて、誤操作の影響を軽減することができるという優れた効果を奏し得る。なお、ここに記載された効果は必ずしも限定されるものではなく、本開示中に記載されたいずれかの効果であってもよい。
【図面の簡単な説明】
【００１６】
【図１】本技術の第１の実施の形態におけるモニタリングシステムの全体図の一例である。
【図２】本技術の第１の実施の形態における電源系統の一例を示す図である。
【図３】本技術の第１の実施の形態における多機能シーリングライトの一構成例を示すブロック図である。
【図４】本技術の第１の実施の形態におけるシーリングライトの一構成例を示すブロック図である。
【図５】本技術の第１の実施の形態における多機能ユニットの一構成例を示すブロック図である。
【図６】本技術の第１の実施の形態における省電力モードの多機能ユニットの状態の一例を示すブロック図である。
【図７】本技術の第１の実施の形態における多機能ユニットに保持されるデータの一例を示す図である。
【図８】本技術の第１の実施の形態における情報処理装置の一構成例を示すブロック図である。
【図９】本技術の第１の実施の形態における情報処理装置に保持されるデータの一例を示す図である。
【図１０】本技術の第１の実施の形態における情報端末の一構成例を示すブロック図である。
【図１１】本技術の第１の実施の形態における情報端末に表示される入居者モニター画面の一例を示す図である。
【図１２】本技術の第１の実施の形態における情報端末に表示される詳細画面の一例を示す図である。
【図１３】本技術の第１の実施の形態における多機能ユニットの動作の一例を示すフローチャートである。
【図１４】本技術の第１の実施の形態における省電力モード移行処理の一例を示すフローチャートである。
【図１５】本技術の第１の実施の形態における通常モード移行処理の一例を示すフローチャートである。
【図１６】本技術の第１の実施の形態における情報処理装置の動作の一例を示すフローチャートである。
【図１７】本技術の第２の実施の形態における多機能ユニットの一構成例を示すブロック図である。
【図１８】本技術の第３の実施の形態における多機能ユニットの一構成例を示すブロック図である。
【図１９】本技術の第４の実施の形態における多機能ユニットの動作の一例を示すタイミングチャートである。
【図２０】本技術の第５の実施の形態における機器機能部の一構成例を示すブロック図である。
【発明を実施するための形態】
【００１７】
以下、本技術を実施するための形態（以下、実施の形態と称する）について説明する。説明は以下の順序により行う。
１．第１の実施の形態（電源停止の検出結果を送信する例）
２．第２の実施の形態（補助バッテリーからメインバッテリーに切り替え、電源停止の検出結果を送信する例）
３．第３の実施の形態（バッテリーを常時充放電して、電源停止の検出結果を送信する例）
４．第４の実施の形態（電源停止の検出結果を送信し、測定間隔を長くする例）
５．第５の実施の形態（電源停止の検出結果を送信し、センサーを切り替える例）
【００１８】
＜１．第１の実施の形態＞
［モニタリングシステムの構成例］
図１は、第１の実施の形態におけるモニタリングシステムの全体図の一例である。このモニタリングシステムは、病院や介護施設、在宅において、部屋ごとの状況をモニタするためのシステムである。モニタリングシステムは、多機能シーリングライト１００、壁スイッチ４１０、リモートコントロール装置４２０を備える。また、モニタリングシステムは、無線ＬＡＮ(Local Area Network)中継器４３０および４５０と、情報端末４４０と、情報処理装置４６０とを備える。病院や介護施設の部屋が複数ある場合、多機能シーリングライト１００、壁スイッチ４１０およびリモートコントロール装置４２０は、部屋ごとに設置される。また、情報処理装置４６０は、ナースステーションやケアステーションなど、入居者の状態を集中管理するための部屋に配置される。
【００１９】
壁スイッチ４１０は、多機能シーリングライト１００に主電源を供給する電源経路を開閉するものである。この壁スイッチ４１０の操作により、ユーザは、主電源の投入と、その供給の停止とのいずれかを行うことができる。なお、壁スイッチ４１０は、特許請求の範囲に記載の所定のスイッチの一例である。
【００２０】
多機能シーリングライト１００は、部屋の天井に設置される装置であり、シーリングライト２００および多機能ユニット３００を備える。このシーリングライト２００には、凹部が設けられており、その凹部に多機能ユニット３００を着脱自在に装着することができる。
【００２１】
シーリングライト２００は、主電源を用いて点灯する照明機器である。また、シーリングライト２００は、その主電源を多機能ユニット３００に分配する。なお、シーリングライト２００は、特許請求の範囲に記載の照明機器の一例である。また、多機能ユニット３００は、特許請求の範囲に記載の電子機器の一例である。
【００２２】
多機能ユニット３００は、シーリングライト２００からの主電源を用いて所定の物理量（光量や音量など）の測定を行うものである。この多機能ユニット３００は、センサーを内蔵し、センサーの測定値を解析して、入居者の特定の行動（転倒など）を認識する処理を行う。そして、多機能ユニット３００は、認識結果を含むデータを無線ＬＡＮ中継器４３０などを介して情報処理装置４６０に送信する。
【００２３】
リモートコントロール装置４２０は、赤外線信号の送信などによりシーリングライト２００を点灯または消灯させるものである。このリモートコントロール装置４２０には、点灯ボタンや消灯ボタンが設けられる。点灯ボタン等をユーザが押下すると、リモートコントロール装置４２０は、ボタンに応じた発光制御信号を生成し、その発光制御信号を重畳した赤外線信号をシーリングライト２００に送信する。
【００２４】
無線ＬＡＮ中継器４３０および４５０は、多機能ユニット３００、情報端末４４０、および、情報処理装置４６０の間で送受信されるデータを中継するものである。
【００２５】
情報端末４４０は、多機能ユニット３００や情報処理装置４６０との間でデータを送受信して、そのデータを設定に従って表示するものである。例えば、多機能ユニット３００から情報処理装置４６０へ送信されたデータを、その情報処理装置４６０から情報端末４４０が受信する。あるいは、情報端末４４０は、多機能ユニット３００から直接データを受信する。情報端末４４０として、スマートフォン、ノートパソコンやタブレット端末が想定される。また、情報端末４４０は、看護師や介護士などのスタッフにより携帯される。このスタッフの各々は、通常、複数の部屋の入居者を担当することが多い。そこで、スタッフの情報端末４４０は、その担当の部屋内の多機能ユニット３００のそれぞれに予め対応付けられる。
【００２６】
情報処理装置４６０は、多機能ユニット３００からのデータを受信し、それらのデータに基づいて様々な処理を行うものである。この情報処理装置４６０は、例えば、受信したデータをデータベース化し、それらのデータに基づいてデータマイニング、機械学習や深層学習を行う。また、情報処理装置４６０は、受信したデータを、そのデータの送信元の部屋に対応するスタッフの情報端末４４０に転送する。
【００２７】
転送されたデータは、情報端末４４０の表示部に表示される。表示の際には、必要に応じて、データが識別表示される。例えば、入居者が転倒したことを通知するデータなど、スタッフにとって重要性の高いものは、点滅や特定色などで識別表示される。どのような種類のデータを識別表示させるかは、情報端末４４０の操作によりユーザ（スタッフなど）が予め設定しておくことができる。
【００２８】
なお、多機能ユニット３００をシーリングライト２００に装着しているが、シーリングライト以外の照明機器に装着することもできる。例えば、指向性の強い光を発するスポットライトや、壁面等に取り付けるブラケットライトなどに多機能ユニット３００を装着することもできる。
【００２９】
また、モニタリングシステムは、ナースコールシステムと連携することもできる。その場合、多機能シーリングライト１００から送信された情報は、無線により室内にある受信用子機に送信される。その受信用子機は、室内の壁に備えられているナースコールシステムの接続プラグに接続される。そして、接続プラグからは有線ケーブルが、ケアステーションに配置されているナースコールシステムの親機まで配線されており、各部屋の情報はナースコールシステムの親機に集約される。この親機から介護士の各情報端末４００に情報が送信される。
【００３０】
図２は、第１の実施の形態における電源系統の一例を示す図である。多機能シーリングライト１００は、電源線４１９を介して交流電源５００に接続されている。また、壁スイッチ４１０は、電源線４１９に挿入され、ユーザの操作に従って、電源線４１９を開閉する。
【００３１】
［多機能シーリングライトの構成例］
図３は、第１の実施の形態における多機能シーリングライト１００の一構成例を示すブロック図である。この多機能シーリングライト１００は、シーリングライト２００および多機能ユニット３００を備える。シーリングライト２００は、電源線４１９を介して壁スイッチ４１０に接続される。また、シーリングライト２００は、電源線２０８を介して多機能ユニット３００に主電源を供給し、信号線２０９を介して多機能ユニット３００との間でデータを送受信する。
【００３２】
［シーリングライトの構成例］
図４は、第１の実施の形態におけるシーリングライト２００の一構成例を示すブロック図である。このシーリングライト２００は、電源回路２１０、発光制御部２１５、発光部２２０、変圧回路２２５、無線通信部２３０、照明機器制御部２３５、非接触通信部２４０、スイッチ２４５、赤外線通信部２５０、装着検知部２５５を備える。
【００３３】
電源回路２１０は、主電源の交流電圧を直流電圧に変換し、シーリングライト２００内の回路のそれぞれと、多機能ユニット３００とに供給するものである。電源回路２１０からの直流電圧は、例えば、発光制御部２１５、変圧回路２２５およびスイッチ２４５に供給される。
【００３４】
発光制御部２１５は、照明機器制御部２３５の制御に従って発光部２２０を点灯または消灯させるものである。発光部２２０は、発光制御部２１５の制御に従って点灯または消灯するものである。例えば、蛍光灯や発光ダイオードが、発光部２２０として用いられる。発光ダイオードを用いる場合、発光制御部２１５は、発光ダイオードにパルス信号を供給し、そのパルス信号のパルス幅を調整するＰＷＭ（Pulse Width Modulation）制御により発光ダイオードの光量を調節することができる。
【００３５】
変圧回路２２５は、電源回路２１０からの直流電圧を所定のレベルに変圧するものである。この変圧回路２２５は、変圧後の電圧を照明機器制御部２３５に供給する。
【００３６】
無線通信部２３０は、情報端末４４０などの装置との間で無線通信を行うものである。この無線通信においては、Ｗｉ−Ｆｉ（登録商標）などの通信規格が用いられる。非接触通信部２４０は、情報端末４４０などの装置との間で非接触通信を行うものである。この非接触通信においては、ブルートゥース（登録商標）などの通信規格が用いられる。
【００３７】
無線通信部２３０や非接触通信部２４０により、例えば、多機能ユニット３００により測定されたデータ（音声データや温度データなど）や、多機能ユニット３００を制御するためのデータ（測定期間や測定間隔など）が送受信される。
【００３８】
赤外線通信部２５０は、リモートコントロール装置４２０からの赤外線信号を受信するものである。この赤外線信号には、発光部２２０の発光動作を制御するための発光制御情報が重畳されている。赤外線通信部２５０は、赤外線信号から発光制御情報を取り出して照明機器制御部２３５に供給する。
【００３９】
装着検知部２５５は、多機能ユニット３００がシーリングライト２００に装着されたか否かを検知するものである。この装着検知部２５５は、検知結果を示す装着検知情報を照明機器制御部２３５に供給する。
【００４０】
スイッチ２４５は、照明機器制御部２３５の制御に従って、電源回路２１０と電源線２０８との間の経路を開閉するものである。
【００４１】
照明機器制御部２３５は、シーリングライト２００全体を制御するものである。この照明機器制御部２３５は、信号線２０９を介して多機能ユニット３００との間でデータを送受信する。また、赤外線通信部２５０からの発光制御情報を発光制御部２１５に転送する。
【００４２】
また、照明機器制御部２３５は、多機能ユニット３００がシーリングライト２００に装着された場合にスイッチ２４５を閉状態に制御し、装着されていない場合にスイッチ２４５を開状態に制御する。
【００４３】
上述の構成により、多機能ユニット３００がシーリングライト２００に装着されると、シーリングライト２００は、交流電源５００からの主電源を多機能ユニット３００にも供給する。また、シーリングライト２００は、リモートコントロール装置４２０からの赤外線信号に従って点灯または消灯する。
【００４４】
なお、無線通信部２３０および非接触通信部２４０を設けているが、通信の必要が無い場合には、これらの一方または両方を設けない構成としてもよい。
【００４５】
［多機能ユニットの構成例］
図５は、第１の実施の形態における多機能ユニット３００の一構成例を示すブロック図である。この多機能ユニット３００は、変圧回路３１０、電源停止検出回路３１５、バッテリー３２０、スイッチ３３０、電子機器制御部３４０、ＲＯＭ(Read Only Memory)３２５、無線通信部３４５および機器機能部３５０を備える。また、機器機能部３５０は、センサー３５１、認識処理部３５２、フォーマット変換部３５３および記憶部３５４を備える。
【００４６】
ここで、多機能ユニット３００の状態は、通常モードと省電力モードとを含む。通常モードは、省電力モードよりも消費電力の高い状態であり、省電力モードは、通常モードよりも省電力の低い状態である。
【００４７】
変圧回路３１０は、シーリングライト２００からの直流電圧を所定のレベルに変換するものである。この変圧回路３１０は、変換後の電圧（主電源）をバッテリー３２０およびスイッチ３３０に供給する。
【００４８】
電源停止検出回路３１５は、主電源の供給が停止したか否かを検出するものである。この電源停止検出回路３１５は、例えば、主電源の電圧が所定の閾値以下になった場合に、主電源の供給停止を検出する。電源停止検出回路３１５は、検出結果を電子機器制御部３４０に供給する。なお、電源停止検出回路３１５は、特許請求の範囲に記載の検出部の一例である。
【００４９】
バッテリー３２０は、予備電源を供給するものである。このバッテリー３２０は、主電源により充電され、その主電源の供給が停止した際に、充電した電力を予備電源としてスイッチ３３０に出力する。
【００５０】
スイッチ３３０は、電子機器制御部３４０の制御に従って、変圧回路３１０からの主電源とバッテリー３２０からの予備電源とのいずれかを選択するものである。このスイッチ３３０は、選択した電源を電子機器制御部３４０および機器機能部３５０に供給する。なお、スイッチ３３０は、特許請求の範囲に記載の選択部の一例である。
【００５１】
ＲＯＭ３２５は、電子機器制御部３４０が実行する所定のプログラムを格納するものである。
【００５２】
無線通信部３４５は、無線ＬＡＮ中継器４３０などを介して情報処理装置４６０との間で無線通信を行うものである。この無線通信部３４５は、受信したデータを記憶部３５４に格納する。また、無線通信部３４５は、データを送信する際に、必要に応じて記憶部３５４からデータを読み出す。情報処理装置４６０から無線通信部３４５へは、センサー３５１を制御するための情報（測定間隔や測定期間など）や、認識パラメータが送信される。認識パラメータについては後述する。また、無線通信部３４５から情報処理装置４６０へは、認識結果、測定データ、測定日時、主電源停止の通知や、主電源の停止時刻などが送信される。なお、無線通信部３４５は、特許請求の範囲に記載の通信部の一例である。
【００５３】
電子機器制御部３４０は、多機能ユニット３００全体を制御するものである。この電子機器制御部３４０は、主電源が投入されると多機能ユニット３００を通常モードに移行させる。この通常モードにおいて電子機器制御部３４０は、スイッチ３３０を制御して、無線通信部３４５および機器機能部３５０をイネーブル信号により駆動する。
【００５４】
一方、主電源の供給が停止すると、電子機器制御部３４０は、スイッチ３３０を制御して、バッテリー３２０からの予備電源を選択させる。また、電子機器制御部３４０は、無線通信部３４５を制御して、電源停止を示す検出結果を電源停止時刻とともに情報処理装置４６０へ送信させる。また、電子機器制御部３４０は、処理中のデータを必要に応じて記憶部３５４や情報処理装置４６０に退避しておく。退避されたデータは、次に通常モードに移行した際に復帰される。そして、電子機器制御部３４０は、多機能ユニット３００を通常モードから省電力モードに移行させる。
【００５５】
省電力モードにおいて、電子機器制御部３４０は、ディセーブルに設定したイネーブル信号を機器機能部３５０に供給して停止させる。また、電子機器制御部３４０は、ディセーブルに設定したイネーブル信号を無線通信部３４５にも供給して停止させる。このほか、電子機器制御部３４０は、不要な回路やプログラムを必要に応じて停止させる。
【００５６】
センサー３５１は、スイッチ３３０からの主電源を用いて、所定の物理量を測定するものである。このセンサー３５１は、測定データを一定の測定間隔で取得して認識処理部３５２に供給する。センサー３５１として、赤外線センサー、光センサー、温度センサー、湿度センサー、音響センサーやイメージセンサーなどが挙げられる。なお、機器機能部３５０に、センサーを１種類でなく、２種類以上設けてもよい。
【００５７】
認識処理部３５２は、センサー３５１からの測定データを解析して、入居者の行動が特定の行動に該当するか否かを認識する認識処理を実行するものである。認識処理部３５２は、測定データをセンサー３５１から受け取ると測定時刻を取得し、その測定データと測定時刻とを対応付けて記憶部３５４に格納する。また、認識処理部３５２は、その測定データと認識処理に用いる認識パラメータとを記憶部３５４から読み出して認識処理を実行する。認識処理部３５２は、例えば、認識処理において音響センサーからの測定データ（音声データ）の波形パターンと、転倒時の波形パターンとの相関度を求める。そして、相関度が所定の閾値より高いと、認識処理部３５２は、入居者が転倒したことを認識する。この認識処理では、認識パラメータとして、例えば、転倒時の波形パターンや閾値が用いられる。また、認識処理部３５２は、認識処理の結果を認識結果としてフォーマット変換部３５３に供給する。また、電源停止の際に認識処理部３５２は、電源停止直前の認識処理のパラメータと認識処理結果を退避させる。
【００５８】
なお、認識処理部３５２は、音響センサー以外のセンサーからの測定データを用いて認識処理を行ってもよい。例えば、認識処理部３５２は、イメージセンサーから定期的に画像データを取得してもよい。この場合に認識処理部３５２は、撮像された画像と所定の背景画像との差分を求める背景差分法などを使用して動体部分を画像内から抽出し、抽出した動体部分に対し、機械学習や深層学習などを用いて転倒などを認識することができる。背景差分法においては、差分値と比較する閾値や、背景画像が認識パラメータとして用いられる。
【００５９】
また、認識処理の全てを多機能ユニット３００で実行しているが、認識処理の一部または全てを外部（情報処理装置４６０など）で行う構成としてもよい。外部で行う場合、認識処理部３５２は、測定データをセンサー３５１から受け取ると測定時刻を取得し、その測定データもしくは一部処理を実行したデータと測定時刻とを対応付けて記憶部３５４に格納すればよい。また、認識処理部３５２は、認識処理をセンサー３５１の測定のたびに実行してもよいし、センサー３５１の測定間隔より長い間隔で実行してもよい。
【００６０】
フォーマット変換部３５３は、認識結果のフォーマットを、情報処理装置４６０で用いられる所定のフォーマットに変換するものである。フォーマット変換部３５３は、フォーマット変換後の認識結果を記憶部３５４に格納する。
【００６１】
上述の構成により、多機能ユニット３００は、主電源が投入されるとセンサー３５１で測定を行い、認識処理の結果を情報処理装置４６０へ送信する。情報処理装置４６０で認識処理を行う構成の場合には、多機能ユニット３００は、測定データを情報処理装置４６０に送信する。そして、主電源の供給が停止すると多機能ユニット３００は、電源停止を情報処理装置４６０に通知してセンサー３５１等を停止する。
【００６２】
上述したように壁スイッチ４１０をオフにすると、主電源の供給が停止してセンサー３５１も停止してしまう。モニタリングシステムにおいては、センサー３５１が常に動作していることが望ましいため、消灯する際には、壁スイッチ４１０をオンにしたまま、リモートコントロール装置４２０の消灯ボタンを押下するという手順をユーザが守る必要がある。
【００６３】
しかし、シーリングライト１００などの照明機器を消灯する際には、壁スイッチ４１０をオフにする操作が一般的であるため、消灯時にユーザが誤って壁スイッチ４１０をオフにし、センサー３５１を意図せずに停止させてしまうことがある。
【００６４】
ここで、バッテリー３２０が多機能ユニット３００に設けられていない比較例を想定する。この比較例では、壁スイッチ４１０の操作により主電源の供給が停止すると、無線通信部３４５も直ちに停止し、電源停止を通知することができなくなる。このため、ユーザが誤操作に気づかず、センサー３５１が長時間に亘って停止してしまうおそれがある。
【００６５】
これに対して、バッテリー３２０を設けた構成では、バッテリー３２０の予備電源を用いて無線通信部３４５が電源停止を通知することができる。この通知は、ユーザが携帯する情報端末４４０に転送されるため、ユーザは、誤操作に気づいて壁スイッチ４１０を速やかにオンにし、電源供給を再開させることができる。したがって、誤操作の影響を軽減することができる。
【００６６】
図６は、第１の実施の形態における省電力モードの多機能ユニット３００の状態の一例を示すブロック図である。同図において、斜線の部分は停止している回路を示す。省電力モードに移行すると、電子機器制御部３４０は、機器機能部３５０および無線通信部３４５を停止させる。また、変圧回路３１０および電源停止検出回路３１５も停止する。一方、バッテリー３２０からの予備電源により、電子機器制御部３４０などは、動作を継続することができる。
【００６７】
図７は、第１の実施の形態における多機能ユニット３００に保持されるデータの一例を示す図である。１２時に多機能ユニット３００が、入居者がベッドで就寝中であることを認識し、１２時１５分に入居者が室内移動していることを認識したものとする。この場合に、多機能ユニット３００は、「１２：００」の時刻に対応付けて「ベッド」の状態を保持し、「１２：１５」の時刻に対応付けて「室内移動」の状態を保持する。
【００６８】
また、１２時３０分に多機能ユニット３００が、入居者が転倒したことを認識し、１２時４５分に主電源の供給停止を検出したものとする。この場合に、多機能ユニット３００は、「１２：３０」の時刻に対応付けて「転倒」の状態を保持し、「１２：４５」の時刻に対応付けて「電源停止」の状態を保持する。
【００６９】
［情報処理装置の構成例］
図８は、第１の実施の形態における情報処理装置４６０の一構成例を示すブロック図である。この情報処理装置４６０は、ＲＡＭ(Random Access Memory）４６１、通信部４６２、ＣＰＵ（Central Processing Unit）４６３およびＲＯＭ４６５を備える。また、情報処理装置４６０は、バス４６６および表示部４６７を備える。
【００７０】
ＣＰＵ４６３は、情報処理装置４６０全体を制御するものである。ＲＡＭ４６１は、ＣＰＵ４６３により実行されるプログラムや、処理に必要になるデータを一時的に記憶するための作業領域として用いられる。ＲＯＭ４６５は、ＣＰＵ４６３により実行されるプログラムなどを記録するものである。
【００７１】
記憶部４６４は、所定のデータを記憶するものである。例えば、部屋ごとの入居者の氏名や担当スタッフ、認識パラメータ、および、情報処理装置４６０が生成したデータベースなどが記憶部４６４に記憶される。表示部４６７は、操作画面などを表示するものである。バス４６６は、ＲＡＭ４６１、通信部４６２、ＣＰＵ４６３およびＲＯＭ４６５および表示部４６７が互いにデータをやりとりするための共通の経路である。
【００７２】
通信部４６２は、無線ＬＡＮ中継器４５０などを介して多機能シーリングライト１００や情報端末４４０との間でデータを送受信するものである。多機能シーリングライト１００から通信部４６２へは、認識結果、測定データ、測定日時、主電源停止の通知や、主電源の停止時刻などが送信される。また、通信部４６２から情報端末４４０へは、主電源停止の通知、主電源の停止時刻や、認識結果の履歴などが送信される。
【００７３】
なお、情報端末４４０へのデータ送信のタイミングは、モニタリングシステムの利用態様に応じて適宜、設定される。例えば、情報処理装置４６０は、主電源停止の通知を直ちに転送してもよいし、主電源停止後の一定期間が経過してから転送してもよい。例えば、ユーザが壁スイッチ４１０を誤ってオフにした直後に誤操作に気づいてオンにすることも考えられる。このようなケースを考慮するのであれば、情報処理装置４６０は、主電源停止が通知されてから一定期間が経過しても測定データの送信が再開されない場合に、主電源停止の通知を転送すればよい。
【００７４】
図９は、第１の実施の形態における情報処理装置４６０に保持されるデータの一例を示す図である。例えば、「部屋番号」、「入居者」、「時刻」、「状態」、および、「通知先端末ＩＤ」の項目を持つデータベースが生成され、情報処理装置４６０内の記憶部４６４に格納される。
【００７５】
３０１号室に山田さんが入居しており、１２時にベッドで就寝していると多機能シーリングライト１００が認識した場合を想定する。３０１号室の多機能シーリングライト１００は、「１２：００」の時刻と、「ベッド」の認識結果とを情報処理装置４６０に送信する。情報処理装置４６０は、受信したデータの送信元のＩＰ（Internet Protocol）アドレスを参照し、送信元の部屋番号および入居者を特定する。また、情報処理装置４６０は、部屋番号に対応するユーザの情報端末４４０の識別情報(ＩＤ：IDentification information）を取得する。
【００７６】
そして、情報処理装置４６０は、部屋番号「３０１」、入居者「山田」、時刻「１２：００」、状態「ベッド」、通知先端末ＩＤ「００１」のデータをデータベースに追加する。
【００７７】
また、３０５号室に佐藤さんが入居しており、１２時に主電源の供給停止を多機能シーリングライト１００が検出した場合を想定する。３０５号室の多機能シーリングライト１００は、「１２：００」の時刻と、「電源停止」の通知とを情報処理装置４６０に送信する。
【００７８】
そして、情報処理装置４６０は、部屋番号「３０５」、入居者「佐藤」、時刻「１２：００」、状態「電源停止」、通知先端末ＩＤ「００２」のデータをデータベースに追加する。また、情報処理装置４６０は、通知先端末ＩＤ「００２」の情報端末４４０に、電源停止の通知を転送する。
【００７９】
［情報端末の構成例］
図１０は、第１の実施の形態における情報端末４４０の一構成例を示すブロック図である。この情報端末４４０は、ＲＡＭ４４１、無線通信部４４２、ＣＰＵ４４３、非接触通信部４４４、記憶部４４５、操作部４４６、ＲＯＭ４４７、バス４４８および表示部４４９を備える。
【００８０】
ＣＰＵ４４３は、情報端末４４０全体を制御するものである。ＲＡＭ４４１は、ＣＰＵ４４３により実行されるプログラムや、処理に必要になるデータを一時的に記憶するための作業領域として用いられる。ＲＯＭ４４７は、ＣＰＵ４４３により実行されるプログラムなどを記録するものである。
【００８１】
無線通信部４４２は、多機能シーリングライト１００などの装置との間で無線通信を行うものである。この無線通信においては、Ｗｉ−Ｆｉ（登録商標）などの通信規格が用いられる。非接触通信部４４４は、多機能シーリングライト１００などの装置との間で非接触通信を行うものである。この非接触通信においては、ブルートゥース（登録商標）などの通信規格が用いられる。
【００８２】
記憶部４４５は、所定のデータを記憶するものである。この記憶部４４５には、例えば、情報処理装置４６０から受信したデータなどが格納される。操作部４４６は、ユーザの操作に従って操作信号を出力するものである。表示部４４９は、ＣＰＵ４４３の制御に従ってデータを表示するものである。
【００８３】
図１１は、第１の実施の形態における情報端末４４０に表示される入居者モニター画面の一例を示す図である。この入居者モニター画面は、例えば、情報端末４４０が所定のアプリケーションを実行したときに表示される。入居者モニター画面には、情報端末４４０のユーザが担当する部屋のそれぞれの状況が表示される。また、入居者モニター画面において、入居者の転倒や電源停止など、ユーザにとって重要性の高いデータは、点滅や特定の色により識別表示される。部屋の状況の詳細は、ユーザが「詳細」ボタンを押下することにより参照することができる。
【００８４】
ユーザの担当する部屋が３０１乃至３０７号室であり、３０５号室で主電源の供給が停止し、３０６号室で入居者が転倒した場合を想定する。また、３０４号室で入居者が室内移動中であり、他の部屋では、入居者はベッドで就寝中であるものとする。この場合に情報端末４４０は、３０５号室に対応付けて「電源停止」を識別表示し、３０６号室に対応付けて「転倒」を識別表示する。また、情報端末４４０は、３０４号室に対応付けて「室内移動」を表示し、他の部屋に対応付けて「ベッド」を表示する。
【００８５】
図１２は、第１の実施の形態における情報端末４４０に表示される詳細画面の一例を示す図である。この詳細画面は、入居者モニター画面で「詳細」ボタンを押下したときに表示される。詳細画面には、部屋の状態と、警告設定情報と、警告履歴と、行動履歴とが表示される。ここで、警告設定情報は、識別表示させる状態の種類を示す。また、警告履歴は、識別表示させた状態の履歴を示す。行動履歴は、入居者の行動の履歴を示す。
【００８６】
警告設定情報は、例えば、「離床」、「室内移動」、「うずくまり」、「転倒」、「退室」、「トイレ」、「センサ異常」および「電源停止」の状態ごとに、識別表示させるか否かを示す情報を含む。具体的には、状態ごとに、チェックボックスが表示され、ユーザは、状態に対応するチェックボックスに適宜にチェックを入れることにより、その状態を識別表示させることができる。
【００８７】
なお、情報端末４４０は、電源停止の状態を識別表示させてユーザに通知しているが、音声出力や情報端末４４０の振動により通知してもよい。
【００８８】
［多機能ユニットの動作例］
図１３は、多機能ユニット３００の動作の一例を示すフローチャートである。この動作は、例えば、多機能シーリングライト１００に電源が投入されたときに開始する。多機能ユニット３００は、通常モードに移行する（ステップＳ９０１）。そして、多機能ユニット３００は、電源停止を検出したか否かを判断する（ステップＳ９０２）。
【００８９】
電源停止を検出した場合に（ステップＳ９０２：Ｙｅｓ）、多機能ユニット３００は、省電力モードに移行するための省電力モード移行処理を実行する（ステップＳ９１０）。そして、多機能ユニット３００は、バッテリー３２０の残量が所定の閾値Ｅｔｈより少ないか否かを判断する（ステップＳ９０３）。
【００９０】
バッテリー３２０の残量が所定の閾値Ｅｔｈ以上の場合に（ステップＳ９０３：Ｎｏ）、多機能ユニット３００は、電源投入を検出したか否かを判断する（ステップＳ９０４）。電源投入を検出した場合に（ステップＳ９０４：Ｙｅｓ）、多機能ユニット３００は、通常モードに移行するための通常モード移行処理を実行する（ステップＳ９３０）。一方、電源投入を検出していない場合に（ステップＳ９０４：Ｎｏ）、多機能ユニット３００は、ステップＳ９０３以降を繰り返し実行する。
【００９１】
電源停止を検出していない場合（ステップＳ９０２：Ｎｏ）、または、ステップＳ９３０の後に多機能ユニット３００は、ステップＳ９０２以降を繰り返し実行する。
【００９２】
また、バッテリー３２０の残量が閾値Ｅｔｈより少ない場合に（ステップＳ９０３：Ｙｅｓ）、多機能ユニット３００は、バッテリー残量が少なくなったため終了シーケンスを実行する旨を情報処理装置４６０に通知する（ステップＳ９０５）。そして、多機能ユニット３００は、終了シーケンスを実行し（ステップＳ９０６）、動作を終了する。
【００９３】
図１４は、第１の実施の形態における省電力モード移行処理の一例を示すフローチャートである。多機能ユニット３００は、主電源から予備電源に切り替え（ステップＳ９１１）、電源停止の時刻を保持する（ステップＳ９１２）。そして、多機能ユニット３００は、電源投入時刻から現在時刻までの経過時間Ｔ１を取得し（ステップＳ９１３）、経過時間Ｔ１が所定時間Ｔｈ１よりも長いか否かを判断する（ステップＳ９１４）。
【００９４】
経過時間Ｔ１が所定時間Ｔｈ１よりも長い場合に（ステップＳ９１４：Ｙｅｓ）、多機能ユニット３００は、電源停止を、電源停止時刻とともに情報処理装置４６０に通知する（ステップＳ９１５）。そして、多機能ユニット３００は、電源停止直前の認識処理の結果や認識パラメータなどを退避し（ステップＳ９１６）、センサー３５１等への電源供給を停止して省電力モードに移行する（ステップＳ９１７）。ステップＳ９１７の後に多機能ユニット３００は、省電力モード移行処理を終了する。
【００９５】
経過時間Ｔ１が所定時間Ｔｈ１以下の場合（ステップＳ９１４：Ｎｏ）、多機能ユニット３００は、ステップＳ９１３の前に戻って、再度、電源投入時刻から現在時刻までの経過時間を取得する。
【００９６】
このように、経過時間Ｔ１が所定時間Ｔｈ１より長いか否かを判断することにより、壁スイッチ４１０のオンオフの操作をユーザが短い時間内で繰り返した場合に、電源停止が連続して通知されることを防止することができる。このように、電源停止の連続した通知を防止することにより、ユーザが煩わしさを感じるのを低減することができる。また、データが無駄に送信されることを抑制して、通信量を低減することができる。
【００９７】
図１５は、第１の実施の形態における通常モード移行処理の一例を示すフローチャートである。多機能ユニット３００は、起動シーケンスを実行済み（言い換えれば、起動中）であるか否かを判断する（ステップＳ９３１）。起動中である場合に（ステップＳ９３１：Ｙｅｓ）、多機能ユニット３００は、主電源に切り替えて（ステップＳ９３２）、電源投入時刻を保持し（ステップＳ９３３）、通常モードに移行する（ステップＳ９３４）。そして、多機能ユニット３００は、電源停止時刻から現在時刻までの経過時間Ｔ２を取得し（ステップＳ９３５）、経過時間Ｔ２が所定時間Ｔｈ２よりも長いか否かを判断する（ステップＳ９３６）。
【００９８】
経過時間Ｔ２が所定時間Ｔｈ２以下の場合に（ステップＳ９３６：Ｎｏ）、多機能ユニット３００は、退避しておいた前回の認識処理結果や認識パラメータを読み出す（ステップＳ９３７）。一方、経過時間Ｔ２が所定時間Ｔｈ２より長い場合（ステップＳ９３６：Ｙｅｓ）、または、ステップＳ９３７の後に多機能ユニット３００は、新たに認識処理を実行する（ステップＳ９３８）。
【００９９】
このように、経過時間Ｔ２が所定時間Ｔｈ２より長いか否かを判断することにより、壁スイッチ４１０のオンオフの操作をユーザが短い時間内で繰り返した場合に、前回の認識処理の結果をそのまま用いて認識処理を高速に実行することができる。
【０１００】
起動中でない場合に（ステップＳ９３１：Ｎｏ）、多機能ユニット３００は、起動シーケンスを実行する（ステップＳ９３９）。ステップＳ９３８またはＳ９３９の後に多機能ユニット３００は、通常モード移行処理を終了する。
【０１０１】
［情報処理装置の動作例］
図１６は、第１の実施の形態における情報処理装置４６０の動作の一例を示すフローチャートである。この動作は、例えば、情報処理装置４６０において所定のアプリケーションが実行されたときに開始される。情報処理装置４６０は、認識パラメータをモニタリングシステム内の多機能シーリングライト１００のそれぞれに送信する（ステップＳ９５１）。また、情報処理装置４６０は、多機能シーリングライト１００から認識結果などのデータを受信し（ステップＳ９５２）、データベースの生成やデータの解析を行う（ステップＳ９５３）。このデータの解析により、認識パラメータの最適化などが行われる。例えば、転倒の頻度が高い入居者については、転倒の波形パターンとの相関度が低くても転倒と認識するように、相関度と比較する閾値が調整される。
【０１０２】
そして、情報処理装置４６０は、解析結果に基づいて認識パラメータを更新し、更新したパラメータを多機能シーリングライト１００に送信する（ステップＳ９５４）。また、情報処理装置４６０は、情報端末４４０に、認識結果の履歴を送信する（ステップＳ９５５）。ここで、認識結果の履歴の送信は、定期的に行ってもよいし、情報端末４４０からの要求に応じて行ってもよい。
【０１０３】
続いて情報処理装置４６０は、多機能シーリングライト１００により電源停止が通知されたか否かを判断する（ステップＳ９５６）。電源停止が通知された場合に（ステップＳ９５６：Ｙｅｓ）、情報処理装置４６０は、通知元の部屋に対応する情報端末４４０に、通知を転送する（ステップＳ９５７）。電源停止が通知されていない場合（ステップＳ９５６：Ｎｏ）、または、ステップＳ９５７の後に、情報処理装置４６０は、ステップＳ９５２以降を繰り返す。
【０１０４】
このように、本技術の第１の実施の形態によれば、多機能ユニット３００は、主電源の供給停止を検出すると、その検出結果をバッテリー３２０の予備電源を用いて送信するため、その送信先のユーザに主電源の供給停止を通知することができる。通知を受けたユーザが壁スイッチ４１０を直ちにオンにして主電源の供給を再開させれば、センサー３５１が長時間に亘って停止する事態を防ぐことができ、誤操作の影響を軽減することができる。
【０１０５】
＜２．第２の実施の形態＞
上述の第１の実施の形態では、多機能ユニット３００は、スイッチ３３０により、主電源から予備電源に切り替えていたが、主電源の供給停止から予備電源に切り替わるまでの切替え時間が長いと、障害が生じるおそれがある。例えば、スイッチ３３０のスイッチング速度や電源停止検出回路３１５の動作速度が遅い場合に、切替え時間が長くなるおそれがある。ここで、通常、電子機器制御部３４０内には、瞬間的な停電が生じても影響がないようにコンデンサが搭載されている。しかし、コンデンサが対応可能な停電時間よりも切替え時間が長いと、コンデンサの後段の回路への電源供給が一時的に途絶えて、ファイルの破損やデータの消失などの障害が生じるおそれがある。この第２の実施の形態の多機能ユニット３００は、電源の切替えの際に障害が発生することを抑制するために、電源切替え時に補助電源を供給する補助バッテリーを備える点において第１の実施の形態と異なる。
【０１０６】
図１７は、第２の実施の形態における多機能ユニット３００の一構成例を示すブロック図である。この第２の実施の形態の多機能ユニット３００は、バッテリー３２０の代わりに、メインバッテリー３２１および補助バッテリー３２２を備える点において第１の実施の形態と異なる。このメインバッテリー３２１の充電容量は、補助バッテリー３２２より大きいものとする。
【０１０７】
第２の実施の形態の変圧回路３１０は、直流電圧をメインバッテリー３２１および補助バッテリー３２２に供給する。また、スイッチ３３０は、メインバッテリー３２１からの予備電源と補助バッテリー３２２からの電源のいずれかを選択して、選択した電源を供給する。電子機器制御部３４０は、主電源が投入されるとスイッチ３３０を制御して、電源の供給元を補助バッテリー３２２に切り替えさせる。
【０１０８】
一方、主電源の供給が停止すると電子機器制御部３４０は、スイッチ３３０を制御してメインバッテリー３２１に切り替えさせる。そして、主電源が停止してから予備電源に切り替わるまでの切替え時間において、補助バッテリー３２２が充電電力を補助電源としてスイッチ３３０に供給する。
【０１０９】
このように、本技術の第２の実施の形態によれば、主電源から予備電源に切り替えられるまでの間において補助バッテリー３２２が補助電源を供給するため、スイッチ３３０は電源を継続的に供給することができる。これにより、電源切替えによる障害の発生を抑制することができる。
【０１１０】
＜３．第３の実施の形態＞
上述の第２の実施の形態では、補助バッテリー３２２を設けることにより、障害の発生を抑制していたが、補助バッテリー３２２の分、多機能ユニット３００のサイズ、部品点数やコストが増大するおそれがある。この第３の実施の形態の多機能ユニット３００は、補助バッテリー３２２を設けることなく、バッテリーが充電電力を途切れなく供給することにより障害の発生を抑制する点において第２の実施の形態と異なる。
【０１１１】
図１８は、第３の実施の形態における多機能ユニット３００の一構成例を示すブロック図である。この第３の実施の形態の多機能ユニット３００は、メインバッテリー３２１、補助バッテリー３２２およびスイッチ３３０の代わりにバッテリー３２０を備える点において第２の実施の形態と異なる。
【０１１２】
第３の実施の形態のバッテリー３２０は、電源切替えの前後において充電電力を継続して電子機器制御部３４０および機器機能部３５０に供給する。ここで、第１の実施の形態においては、主電源が供給されている場合にバッテリー３２０は、充電のみを行い、放電していなかった。これに対して、第３の実施の形態では、主電源が停止していない場合にバッテリー３２０は主電源により電力を充電するとともに、その充電電力を電子機器制御部３４０等に供給する（すなわち、放電する）。また、主電源が停止した場合には、バッテリー３２０は、充電電力を予備電源として供給する。
【０１１３】
このように、本技術の第３の実施の形態によれば、バッテリー３２０が充電電力を継続して供給するため、補助バッテリー３２２やスイッチ３３０を設けずに、停電による傷害の発生を抑制することができる。
【０１１４】
＜４．第４の実施の形態＞
上述の第１の実施の形態では、多機能ユニット３００は、予備電源に切り替えた際に、センサー３５１を停止させていた。しかし、センサー３５１の停止中に入居者の転倒などの事故が生じると、その事故をユーザが把握することができずに対応が遅れるおそれがある。このため、予備電源に切り替えられた後もセンサー３５１が継続して測定を行うことが望ましい。この第４の実施の形態の多機能ユニット３００は、予備電源に切り替えた後もセンサー３５１に測定を継続させるために、センサー３５１の測定間隔を制御する点において第１の実施の形態と異なる。
【０１１５】
図１９は、第４の実施の形態における多機能ユニット３００の動作の一例を示すタイミングチャートである。電子機器制御部３４０は、一定周波数の同期信号をセンサー３５１に供給し、センサー３５１は、その同期信号に同期して測定を行う。タイミングＴ１において主電源が投入されると、電子機器制御部３４０は通常モードに移行する。この通常モードにおいて、機器制御部３５０は、一定の周波数の同期信号により、例えば、１／１５秒ごとにセンサー３５１に測定を行わせる。
【０１１６】
一方、タイミングＴ２に主電源の供給が停止すると電子機器制御部３４０は、省電力モードに移行する。この省電力モードにおいて機器制御部３５０内のセンサー３５１は、予備電源を用いて計測を継続する。また、電子機器制御部３４０は、同期信号の周波数を低下させ、例えば、３秒ごとにセンサー３５１に測定を行わせる。このように、省電力モードにおいて測定間隔を長くすることにより、センサー３５１の消費電力を低減することができる。
【０１１７】
なお、電子機器制御部３４０は、測定間隔を制御しているが、センサー３５１の消費電力を低減することができるのであれば、測定間隔以外のパラメータを制御してもよい。例えば、サンプリング周波数や量子化ビット数を変更することのできる音響センサーをセンサー３５１として用いる場合を考える。この場合に電子機器制御部３４０は、省電力モードにおいて、サンプリング周波数を低下させるか、量子化ビット数を減少させればよい。
【０１１８】
また、撮像する画像の解像度を変更することのできるイメージセンサーをセンサー３５１として用いる場合を考える。この場合に電子機器制御部３４０は、省電力モードにおいて、解像度を低下させればよい。
【０１１９】
このように、本技術の第４の実施の形態によれば、多機能ユニット３００は、主電源の供給停止後にセンサー３５１を停止せずに測定間隔を長くするため、センサー３５１による測定を継続して行うことができる。
【０１２０】
＜５．第５の実施の形態＞
上述の第４の実施の形態では、多機能ユニット３００は、主電源の供給停止後にセンサー３５１の測定間隔を長くしていたが、測定間隔を長くすると、転倒などの事故を多機能ユニット３００が見落とす可能性が高くなってしまう。この第５の実施の形態の多機能ユニット３００は、測定間隔の長期化を抑制する点において第４の実施の形態と異なる。
【０１２１】
図２０は、第５の実施の形態における機器機能部３５０の一構成例を示すブロック図である。この第５の実施の形態の機器機能部３５０は、センサー３５１の代わりに、イメージセンサー３５５および赤外線センサー３５６を備える点において第４の実施の形態と異なる。
【０１２２】
イメージセンサー３５５は、一定の測定間隔で画像データを撮像するものである。このイメージセンサー３５５は、撮像した画像データを認識処理部３５２に供給する。
【０１２３】
赤外線センサー３５６は、赤外線投光器（不図示）から投光された赤外光に対する反射光を一定の間隔で受光するものである。この赤外線センサー３５６は、受光データを認識処理部３５２に供給する。
【０１２４】
一般に、イメージセンサー３５５と比較して、赤外線センサー３５６の消費電力は小さい。このため、電子機器制御部３４０は、通常モードにおいて、赤外線センサー３５６を停止させる一方でイメージセンサー３５５を駆動させる。一方、省電力モードにおいて電子機器制御部３４０は、赤外線センサー３５６を駆動させる一方でイメージセンサー３５５を停止させる。
【０１２５】
イメージセンサー３５５と赤外線センサー３５６との測定間隔は個別に設定されるが、前述したように赤外線センサー３５６の消費電力は小さいため、赤外線センサー３５６の測定間隔を長くする要性は乏しい。このため、センサーの切替えにより、測定間隔の長期化を抑制しつつ、消費電力を低減することができる。
【０１２６】
なお、イメージセンサー３５５と赤外線センサー３５６とを設けて切り替えているが、切り替える対象のセンサーは、消費電力が異なるものであれば、これら以外の組合せであってもよい。例えば、イメージセンサーと音響センサーとを切り替えてもよい。
【０１２７】
また、駆動するセンサーの種類を切り替えているが、駆動するセンサーの個数をモード切替えの際に変更してもよい。例えば、電子機器制御部３４０は、通常モードにおいてイメージセンサー３５５および赤外線センサー３５６の両方を駆動し、省電力モードにおいて、それらの一方のみを駆動してもよい。
【０１２８】
このように、本技術の第５の実施の形態によれば、多機能ユニット３００は、主電源の供給が停止するとイメージセンサー３５５から赤外線センサー３５６に切り替えるため、測定間隔の長期化を抑制しつつ、消費電力を低減することができる。
【０１２９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１３０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１３１】
なお、本明細書に記載された効果はあくまで例示であって、限定されるものではなく、また、他の効果があってもよい。
【０１３２】
なお、本技術は以下のような構成もとることができる。
（１）主電源を用いて点灯する照明機器と、
前記照明機器を消灯させるリモートコントロール装置と、
予備電源を供給するバッテリーと、
前記主電源を用いて所定の測定を行うセンサーと、
所定のスイッチの操作により前記主電源の供給が停止したか否かを検出して検出結果を生成する検出部と、
前記主電源の供給が停止した場合には前記予備電源を用いて前記検出結果を送信する通信部と
を具備するモニタリングシステム。
（２）前記主電源および前記予備電源のいずれかを前記検出結果に基づいて選択して前記通信部に供給する選択部をさらに具備する
前記（１）記載のモニタリングシステム。
（３）前記主電源から前記予備電源に切り替えられるまでの間において補助電源を前記選択部に供給する補助バッテリーをさらに具備する
前記（２）記載のモニタリングシステム。
（４）前記バッテリーは、前記主電源の供給が停止していない場合には前記主電源により充電するとともに充電した電力を前記通信部に供給し、前記主電源の供給が停止した場合には前記充電した電力を前記予備電源として前記通信部に供給する
前記（１）記載のモニタリングシステム。
（５）前記主電源の供給が停止した場合には前記センサの消費電力を低下させる制御部をさらに具備する
前記（１）から（４）のいずれかに記載のモニタリングシステム。
（６）前記センサは、消費電力の異なる２つのセンサーを含み、
前記制御部は、前記主電源の供給が停止していない場合には前記２つのセンサーのうち消費電力の高い方を駆動させ、前記主電源の供給が停止した場合には前記２つのセンサーのうち消費電力の低い方を駆動させる
前記（５）記載のモニタリングシステム。
（７）前記通信部は、前記主電源の供給が停止した場合には前記主電源の供給が開始されてから現在時刻までの経過時間が所定時間より長いか否かを判断し、前記経過時間が前記所定時間より長いときに前記検出結果を送信する
前記（１）から（６）のいずれかに記載のモニタリングシステム。
（８）前記送信された検出結果を受信して表示する情報端末をさらに具備する
前記（１）から（７）のいずれかに記載のモニタリングシステム。
（９）予備電源を供給するバッテリーと、
照明機器に供給される主電源を用いて所定の測定を行うセンサーと、
所定のスイッチの操作により前記主電源の供給が停止したか否かを検出して検出結果を生成する検出部と、
前記主電源の供給が停止した場合には前記予備電源を用いて前記検出結果を送信する通信部と
を具備する電子機器。
（１０）主電源を用いて照明機器が点灯する点灯手順と、
前記主電源を用いてセンサが所定の測定を行う測定手順と、
所定のスイッチの操作により前記主電源の供給が停止したか否かを検出して検出結果を生成する検出手順と、
前記主電源の供給が停止した場合にはバッテリにより供給される予備電源を用いて前記検出結果を送信する通信手順と
を具備するモニタリングシステム。
【符号の説明】
【０１３３】
１００  多機能シーリングライト
２００  シーリングライト
２１０  電源回路
２１５  発光制御部
２２０  発光部
２２５、３１０  変圧回路
２３０、３４５、４４２  無線通信部
２３５  照明機器制御部
２４０、４４４  非接触通信部
２４５、３３０  スイッチ
２５０  赤外線通信部
２５５  装着検知部
３００  多機能ユニット
３１５  電源停止検出回路
３２０  バッテリー
３２１  メインバッテリー
３２２  補助バッテリー
３２５、４４７、４６５  ＲＯＭ
３４０  電子機器制御部
３５０  機器機能部
３５１  センサー
３５２  認識処理部
３５３  フォーマット変換部
３５４、４４５、４６４  記憶部
３５５  イメージセンサー
３５６  赤外線センサー
４１０  壁スイッチ
４２０  リモートコントロール装置
４３０、４５０  無線ＬＡＮ中継器
４４０  情報端末
４４１、４６１  ＲＡＭ
４４３、４６３  ＣＰＵ
４４６  操作部
４４８、４６６  バス
４４９、４６７  表示部
４６０  情報処理装置
４６２  通信部
５００  交流電源
【図１】
2018018577.tif 000003
【図２】
2018018577.tif 000004
【図３】
2018018577.tif 000005
【図４】
2018018577.tif 000006
【図５】
2018018577.tif 000007
【図６】
2018018577.tif 000008
【図７】
2018018577.tif 000009
【図８】
2018018577.tif 000010
【図９】
2018018577.tif 000011
【図１０】
2018018577.tif 000012
【図１１】
2018018577.tif 000013
【図１２】
2018018577.tif 000014
【図１３】
2018018577.tif 000015
【図１４】
2018018577.tif 000016
【図１５】
2018018577.tif 000017
【図１６】
2018018577.tif 000018
【図１７】
2018018577.tif 000019
【図１８】
2018018577.tif 000020
【図１９】
2018018577.tif 000021
【図２０】
2018018577.tif 000022